【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
所定の回転軸の周りに回転可能な基板と、
前記基板の第１主面に設けられた第１の蛍光体層および第２の蛍光体層と、
前記第１の蛍光体層を励起する励起光と前記第２の蛍光体層を励起する励起光とを発する光源と、
を備え、
前記第１の蛍光体層は、前記基板の回転軸の周りの第１の環状領域に設けられ、
前記第２の蛍光体層は、前記第１の環状領域の外周側の第２の環状領域に設けられ、
前記第１の蛍光体層から発せられる第１の蛍光と、前記第２の蛍光体層から発せられる第２の蛍光と、を射出することを特徴とする光源装置。
【請求項２】
前記第２の蛍光体層に入射する励起光の光強度は、前記第１の蛍光体層に入射する励起光の光強度よりも大きいことを特徴とする請求項１に記載の光源装置。
【請求項３】
前記基板は前記第１の蛍光体層を励起する励起光と前記第２の蛍光体層を励起する励起光との双方を透過する材料からなることを特徴とする請求項１または２に記載の光源装置。
【請求項４】
前記光源から射出された光から前記第１の蛍光体層を励起する励起光と前記第２の蛍光体層を励起する励起光とを分割する導光光学系を備えていることを特徴とする請求項３に記載の光源装置。
【請求項５】
前記導光光学系は、第１ミラーと、第２ミラーと、を備え、
前記第１ミラーは、前記光源から射出された光の一部を前記第２ミラーに向けて透過させるとともに残りの一部を前記第１の蛍光体層に向けて反射させ、
前記第２ミラーは、前記第１ミラーを透過した光を前記第２の蛍光体層に向けて反射させ、
前記基板の第１主面と直交する方向から視て、前記第１ミラーの中心と前記回転軸とを結ぶ線と前記第２ミラーの中心と前記回転軸とを結ぶ線とのなす角度は９０度以上２７０度以下となっていることを特徴とする請求項４に記載の光源装置。
【請求項６】
前記第１の蛍光体層から発せられた前記第１の蛍光と、前記第２の蛍光体層から発せられた前記第２の蛍光と、を合成する第１合成光学系を備えていることを特徴とする請求項１〜５のいずれか一項に記載の光源装置。
【請求項７】
前記第１合成光学系は、第３ミラーと、第４ミラーと、を備え、
前記第３ミラーは、前記第２の蛍光体層から発せられた前記第２の蛍光を前記第４ミラーに向けて反射させ、
前記第４ミラーは、前記第１の蛍光を反射させるとともに、前記第３ミラーによって反射された前記第２の蛍光を透過させることを特徴とする請求項６に記載の光源装置。
【請求項８】
前記基板は、前記第１の蛍光体層から発せられた前記第１の蛍光と前記第２の蛍光体層から発せられた前記第２の蛍光との双方を反射する反射面を有し、
前記第１の蛍光体層は、前記基板の前記第１の蛍光体層を励起する励起光が入射する側と同じ側に設けられ、且つ、
前記第２の蛍光体層は、前記基板の前記第２の蛍光体層を励起する励起光が入射する側と同じ側に設けられていることを特徴とする請求項１または２に記載の光源装置。
【請求項９】
前記光源から射出された光から前記第１の蛍光体層を励起する励起光と前記第２の蛍光体層を励起する励起光とを分離し、且つ、前記第１の蛍光体層から発せられた前記第１の蛍光と、前記第２の蛍光体層から発せられた前記第２の蛍光と、を合成する第２合成光学系を備えていることを特徴とする請求項８に記載の光源装置。
【請求項１０】
前記第２合成光学系は、前記光源から射出された光の一部と、前記第１の蛍光体層から発せられた前記第１の蛍光と、前記第２の蛍光体層から発せられた前記第２の蛍光と、を合成することを特徴とする請求項９に記載の光源装置。
【請求項１１】
前記第２合成光学系は、第１ミラーと、第２ミラーと、第３ミラーと、第４ミラーと、を備え、
前記第１ミラーは、前記光源から射出された光の一部を前記第２ミラーに向けて透過させるとともに残りの一部を前記第１の蛍光体層に向けて反射させ、且つ、前記第１の蛍光体層から発せられた前記第１の蛍光を前記第４ミラーに向けて透過させ、
前記第２ミラーは、前記第１ミラーを透過した光を前記第２の蛍光体層に向けて反射させるとともに前記第２の蛍光体層から発せられた前記第２の蛍光を前記第３ミラーに向けて透過させ、
前記第３ミラーは、前記第２ミラーを透過した第２の蛍光を前記第４ミラーに向けて反射させ、
前記第４ミラーは、前記第１ミラーを透過した第１の蛍光を透過させるとともに前記第３ミラーによって反射された第２の蛍光を反射させることを特徴とする請求項９または１０に記載の光源装置。
【請求項１２】
前記基板の第１主面と直交する方向から視て、前記第１ミラーの中心と前記回転軸とを結ぶ線と前記第２ミラーの中心と前記回転軸とを結ぶ線とのなす角度は９０度以上２７０度以下となっていることを特徴とする請求項１１に記載の光源装置。
【請求項１３】
前記基板の第１主面と直交する方向から視て、前記第３ミラーの中心と前記回転軸とを結ぶ線と前記第４ミラーの中心と前記回転軸とを結ぶ線とのなす角度は９０度以上２７０度以下となっていることを特徴とする請求項１１または１２に記載の光源装置。
【請求項１４】
前記第２合成光学系は、第１ミラーと、第２ミラーと、第３ミラーと、第４ミラーと、第５ミラーと、第６ミラーと、を備え、
前記第１ミラーは、前記光源から射出された光の一部を前記第２ミラーに向けて透過させるとともに残りの一部を前記第１の蛍光体層に向けて反射させ、且つ、前記第１の蛍光体層から発せられた前記第１の蛍光を前記第６ミラーに向けて透過させ、
前記第２ミラーは、前記第１ミラーを透過した光の一部を前記第３ミラーに向けて透過させるとともに残りの一部を前記第５ミラーに向けて反射させ、
前記第３ミラーは、前記第２ミラーを透過した励起光を前記第２の蛍光体層に向けて反射させるとともに前記第２の蛍光体層から発せられた前記第２の蛍光を前記第４ミラーに向けて透過させ、
前記第４ミラーは、前記第３ミラーを透過した第２の蛍光を前記第５ミラーに向けて反射させ、
前記第５ミラーは、前記第２ミラーによって反射された励起光を前記第６ミラーに向けて反射させるとともに前記第４ミラーによって反射された第２の蛍光を自身によって反射された励起光の反射方向と同じ方向に透過させ、
前記第６ミラーは、前記第１ミラーを透過した第１の蛍光を透過させるとともに前記第５ミラーによって反射された励起光と前記第５ミラーを透過した第２の蛍光との双方を反射させることを特徴とする請求項１０に記載の光源装置。
【請求項１５】
前記第２ミラーは、前記第１ミラーと第３ミラーとの間を直線的に進行する光の光路上に配置されていることを特徴とする請求項１４に記載の光源装置。
【請求項１６】
前記基板の第１主面と直交する方向から視て、前記第４ミラーは前記第３ミラーと重なり、前記第５ミラーは前記第２ミラーと重なり、前記第６ミラーは前記第１ミラーと重なっていることを特徴とする請求項１５に記載の光源装置。
【請求項１７】
前記励起光は青色光であり、前記第１の蛍光は赤色光であり、前記第２の蛍光は緑色光であることを特徴とする請求項１〜１６のいずれか一項に記載の光源装置。
【請求項１８】
前記光源は半導体素子であることを特徴とする請求項１〜１７のいずれか一項に記載の光源装置。
【請求項１９】
前記光源は半導体レーザーであることを特徴とする請求項１８に記載の光源装置。
【請求項２０】
前記基板と前記第１の蛍光体層との間には、前記第１の蛍光体層から発せられた前記第１の蛍光を反射する第１反射面が形成され、且つ、
前記基板と前記第２の蛍光体層との間には、前記第２の蛍光体層から発せられた前記第２の蛍光を反射する第２反射面が形成されていることを特徴とする請求項１〜１９のいずれか一項に記載の光源装置。
【請求項２１】
請求項１〜２０のいずれか１項に記載の光源装置と、
前記光源装置から射出された光を画像情報に応じて変調する光変調装置と、
前記光変調装置からの変調光を投写画像として投写する投写光学系と、
を備えることを特徴とするプロジェクター。